(57)【要約】【課題】到着時間を遅らせることなく目的地に到着するまでにビデオ再生を最後まで楽しむことができるようにする。【解決手段】目的地までの到着予想時間よりもビデオ再生残り時間が長いと判定された場合、目的地への到着予想時間が経過するまでにビデオ再生が終了するように再生速度を算出し（Ｓ３０２）、この算出した再生速度にてビデオ再生することをビデオ再生装置１に指示する（Ｓ３０４）。【選択図】図５
2007256077.tif 000002
【特許請求の範囲】
【請求項１】
ビデオ再生を行うビデオ再生装置と信号の送受信を行うビデオインタフェース部と、
目的地までの到着予想時間を特定する到着予想時間特定手段と、
前記ビデオインタフェース部を介してビデオ再生装置からビデオ再生残り時間を取得する再生残り時間取得手段と、
前記到着予想時間特定手段によって特定された前記目的地までの到着予想時間よりも前記再生残り時間取得手段によって取得された前記ビデオ再生残り時間が長いか否かを判定する判定手段と、
前記判定手段によって前記目的地までの到着予想時間よりも前記ビデオ再生残り時間が長いと判定された場合、前記目的地への到着予想時間が経過するまでに前記ビデオ再生が終了するように再生速度を算出する再生速度算出手段と、
前記ビデオインタフェース部を介してビデオ再生装置に前記再生速度算出手段によって算出された前記再生速度にてビデオ再生することを指示するビデオ再生指示手段と、を備えたことを特徴とする車両用ビデオ再生速度制御装置。
【請求項２】
前記再生速度算出手段は、前記目的地への到着予想時間に合わせて前記ビデオ再生が終了するように、前記ビデオ再生の再生速度を算出することを特徴とする請求項１に記載の車両用ビデオ再生速度制御装置。
【請求項３】
前記再生速度算出手段は、前記目的地への到着予想時間が経過するまで一定速度で前記ビデオ再生の再生速度を算出することを特徴とする請求項２に記載の車両用ビデオ再生速度制御装置。
【請求項４】
前記再生速度算出手段は、再生開始から一定時間経過するまで前記ビデオ再生の再生速度を１倍速から一定速度になるまで徐々に速くなるようにした後、一定速度となるように前記ビデオ再生の再生速度を算出することを特徴とする請求項２に記載の車両用ビデオ再生速度制御装置。
【請求項５】
前記再生速度算出手段は、再生開始から前記目的地への到着予想時間が経過する一定時間前まで前記ビデオ再生の再生速度を１倍速よりも速い一定速度にした後、一定時間で１倍速まで徐々に遅くし、その後、前記ビデオ再生が終了するまで１倍速でビデオ再生するように前記ビデオ再生の再生速度を算出することを特徴とする請求項２に記載の車両用ビデオ再生速度制御装置。
【請求項６】
前記再生速度算出手段は、再生開始から一定時間が経過するまで前記ビデオ再生の再生速度を１倍速から一定速度になるまで徐々に速くした後、一定時間が経過するまで一定速度を維持し、その後の一定時間で１倍速まで徐々に遅くし、その後、前記ビデオ再生が終了するまで１倍速でビデオ再生するように前記ビデオ再生の再生速度を算出することを特徴とする請求項２に記載の車両用ビデオ再生速度制御装置。
【請求項７】
前記再生速度算出手段は、前記目的地への到着予想時間が経過する一定時間前までに前記ビデオ再生が終了するように、前記ビデオ再生の再生速度を一定速度で算出することを特徴とする請求項１に記載の車両用ビデオ再生速度制御装置。
【請求項８】
前記再生残り時間取得手段によって取得された前記ビデオ再生残り時間と前記目的地までの到着予想時間から前記目的地へ到着するまでに前記ビデオ再生を終了するためのビデオ再生速度が予め定められた速度よりも速くなるか否かを判定する再生速度判定手段と、
前記再生速度判定手段によって前記目的地へ到着するまでに前記ビデオ再生を終了するためのビデオ再生速度が予め定められた速度よりも速くなると判定された場合、ユーザに前記ビデオ再生速度で高速再生するか否かを確認する第１の確認手段と、を備え、
前記ビデオ再生指示手段は、前記第１の確認手段によって高速再生することが確認された場合、前記ビデオ再生装置に前記再生速度算出手段によって再生された前記再生速度にてビデオ再生することを指示することを特徴とする請求項１ないし７のいずれか１つに記載の車両用ビデオ再生速度制御装置。
【請求項９】
前記ビデオ再生装置から前記ビデオ再生の字幕表示の有無を判定する字幕判定手段と、
前記字幕判定手段によって前記字幕表示が無いと判定された場合、ユーザに倍速再生するか否かを確認する第２の確認手段と、を備え、
前記ビデオ再生指示手段は、前記第２の確認手段によって倍速再生することが確認された場合、前記再生速度算出手段によって再生された前記再生速度にてビデオ再生することを指示し、前記第２の確認手段によって前記字幕表示しないでビデオ再生することが確認されない場合、１倍速にてビデオ再生することを指示することを特徴とする請求項１ないし８のいずれか１つに記載の車両用ビデオ再生速度制御装置。
【発明の詳細な説明】
【技術分野】
【０００１】
本発明は、ビデオ再生を行うビデオ再生装置の再生速度を調整する車両用ビデオ再生速度制御装置に関する。
【背景技術】
【０００２】
従来、車両に搭載されたビデオ再生装置にてビデオ再生しながら目的地へ向かう場合、ビデオ再生が終了する前に目的地に到着してしまう場合がある。この場合、到着してからも残りの部分を車内に残って鑑賞するか、あるいは残りの部分を後で鑑賞することになる。
【０００３】
このような問題に対処するため、ビデオ再生が終了した時点で目的地に到着するように、ビデオの残り再生時間に適した経路を再探索し、これに従って経路案内する装置がある（例えば、特許文献１参照）。
【特許文献１】特開２００４−０００１号公報
【発明の開示】
【発明が解決しようとする課題】
【０００４】
しかしながら、特許文献１に記載の装置では、ビデオ再生が終了した時点で目的地に到着するように、ビデオの残り再生時間に適した経路を再探索するため、目的地までの到着時間が遅くなってしまうことが考えられる。したがって、目的地への移動時間に余裕がないような状況では有効といえない。
【０００５】
本発明は上記問題に鑑みたもので、到着時間を遅らせることなく目的地に到着するまでにビデオ再生を最後まで楽しむことができるようにすることを目的とする。
【課題を解決するための手段】
【０００６】
本発明の第１の特徴は、目的地までの到着予想時間を特定する到着予想時間特定手段と、ビデオ再生装置からビデオ再生残り時間を取得する再生残り時間取得手段と、到着予想時間特定手段によって特定された目的地までの到着予想時間よりも再生残り時間取得手段によって取得されたビデオ再生残り時間が長いか否かを判定する判定手段と、判定手段によって目的地までの到着予想時間よりもビデオ再生残り時間が長いと判定された場合、目的地への到着予想時間が経過するまでにビデオ再生が終了するように再生速度を算出する再生速度算出手段と、ビデオインタフェース部を介してビデオ再生装置に再生速度算出手段によって再生された再生速度にてビデオ再生することを指示するビデオ再生指示手段と、を備えたことである。
【０００７】
このような構成では、目的地までの到着予想時間よりもビデオ再生残り時間が長いと判定された場合、再生速度算出手段によって目的地への到着予想時間が経過するまでにビデオ再生が終了するように再生速度が算出され、この算出された再生速度にてビデオ再生することがビデオ再生装置に指示されるので、特許文献１に示したような従来装置のように到着時間を遅らせることなく目的地に到着するまでにビデオ再生を最後まで楽しむことができる。
【０００８】
また、本発明の第２の特徴は、再生速度算出手段が、目的地への到着予想時間に合わせてビデオ再生が終了するように、ビデオ再生の再生速度を算出することである。
【０００９】
このような構成では、目的地への到着予想時間に合わせてビデオ再生を終了することができる。
【００１０】
また、本発明の第３の特徴は、再生速度算出手段が、目的地への到着予想時間が経過するまで一定速度でビデオ再生の再生速度を算出することである。
【００１１】
このような構成では、目的地への到着予想時間が経過するまで一定速度でビデオ再生の再生速度が算出されるので、ビデオ再生の最後まで一定速度で再生することができる。
【００１２】
また、本発明の第４の特徴は、再生速度算出手段が、一定時間経過するまでビデオ再生の再生速度を１倍速から一定速度になるまで徐々に速くなるようにした後、一定速度となるようにビデオ再生の再生速度を算出することである。
【００１３】
このような構成では、１倍速から徐々に速くなるように再生速度が算出されるので、ビデオ再生速度が突然速くなりユーザに違和感を与えるようなことをなくすことができる。
【００１４】
また、本発明の第５の特徴は、再生速度算出手段が、目的地への到着予想時間が経過する一定時間前までビデオ再生の再生速度を１倍速よりも速い一定速度にした後、一定時間で１倍速まで徐々に遅くし、その後、ビデオ再生が終了するまで１倍速でビデオ再生するようにビデオ再生の再生速度を算出することである。
【００１５】
このような構成では、途中から１倍速になるまで徐々に再生速度が遅くなるので、ビデオ再生速度が突然遅くなりユーザに違和感を与えるようなことをなくすことができる。また、その後、ビデオ再生が終了するまで１倍速でビデオ再生するように再生速度が算出されるので、ユーザはビデオのエンディング部分を１倍速でゆっくり鑑賞することができる。
【００１６】
また、本発明の第６の特徴は、再生速度算出手段が、再生開始から一定時間が経過するまでビデオ再生の再生速度を１倍速から一定速度になるまで徐々に速くした後、一定時間が経過するまで一定速度を維持し、その後の一定時間で１倍速まで徐々に遅くし、その後、ビデオ再生が終了するまで１倍速でビデオ再生するようにビデオ再生の再生速度を算出することである。
【００１７】
このような構成では、１倍速から徐々に速くなるように再生速度が算出されるので、ビデオ再生速度が突然速くなりユーザに違和感を与えるようなことをなくすことができる。また、途中から１倍速になるまで徐々に再生速度が遅くなるので、ビデオ再生速度が突然遅くなりユーザに違和感を与えるようなことをなくすことができる。また、その後、ビデオ再生が終了するまで１倍速でビデオ再生するように再生速度が算出されるので、ユーザはビデオのエンディング部分を１倍速でゆっくり鑑賞することができる。
【００１８】
また、本発明の第７の特徴は、再生速度算出手段が、目的地への到着予想時間が経過する一定時間前までにビデオ再生が終了するように、ビデオ再生の再生速度を一定速度で算出することである。
【００１９】
このような構成では、目的地への到着予想時間が経過する一定時間前までにビデオ再生が終了するので、目的地への到着する前に余裕を持ってビデオ再生を終了させることが可能である。
【００２０】
また、本発明の第８の特徴は、ビデオ再生残り時間と目的地までの到着予想時間から目的地へ到着するまでにビデオ再生を終了するためのビデオ再生速度が予め定められた速度よりも速くなるか否かを判定し、目的地へ到着するまでにビデオ再生を終了するためのビデオ再生速度が予め定められた速度よりも速くなると判定された場合、ユーザにビデオ再生速度で高速再生するか否かを確認する第１の確認手段を備え、ビデオ再生指示手段は、第１の確認手段によって高速再生することが確認された場合、ビデオ再生装置に再生速度算出手段によって再生された再生速度にてビデオ再生することを指示することである。
【００２１】
このような構成では、目的地へ到着するまでにビデオ再生を終了するためのビデオ再生速度が予め定められた速度よりも速くなると判定された場合、第１の確認手段によってユーザにビデオ再生速度で倍速再生するか否かの確認が行われるので、ユーザは倍速再生するか否かを選択することができる。
【００２２】
また、本発明の第９の特徴は、ビデオ再生装置からビデオ再生の字幕表示の有無を判定する字幕判定手段と、字幕判定手段によって字幕表示が無いと判定された場合、ユーザに倍速再生するか否かを確認する第２の確認手段と、を備え、ビデオ再生指示手段は、第２の確認手段によって倍速再生することが確認された場合、再生速度算出手段によって再生された再生速度にてビデオ再生することを指示し、第２の確認手段によって字幕表示しないでビデオ再生することが確認されない場合、１倍速にてビデオ再生することを指示することである。
【００２３】
このような構成では、ビデオ再生の字幕表示が無いと判定された場合、第２の確認手段によってユーザに倍速再生するか否かの確認が行われるので、ユーザは倍速再生するか否かを選択することができる。
【発明を実施するための最良の形態】
【００２４】
本発明の一実施形態に係る車両用ビデオ再生速度制御装置とビデオ再生装置の構成を図１に示す。本実施形態における車両用ビデオ再生速度制御装置はナビゲーション装置２を用いて構成されている。ビデオ再生装置１は、車両のリアシートの乗員用にＲＳＥ（リア・シート・エンターテイメント）として設けられ、ナビゲーション装置２は、車両のセンターコンソール付近に設けられている。また、ビデオ再生装置１とナビゲーション装置２との間は、ケーブル４を介して接続されている。
【００２５】
ビデオ再生装置１は、ビデオ情報入力部１０、ビデオ再生部１１、表示部１２、スピーカ１３およびナビインタフェース部（図中では、ナビＩ／Ｆ部と記す）１４を備えている。
【００２６】
ビデオ情報入力部１０は、ビデオ情報が記憶されたＤＶＤ３からビデオ情報を入力するための装置である。なお、ビデオ情報入力部１０から入力されるビデオ情報には、ビデオ再生のための情報（映像データ、音声データ）の他に、字幕表示の有無や収録時間等の付加情報が含まれている。
【００２７】
ビデオ再生部１１は、ユーザの操作部（図示せず）への操作に応じて、ビデオ情報入力部１０から入力されるビデオ情報の再生、停止、一時停止、早送り、巻き戻し等の処理を行い、これらの処理に応じたビデオ映像信号および音声信号を出力する。また、ビデオ再生部１１は、ビデオ情報の再生時間、再生残り時間の算出等の処理も行う。再生残り時間の算出は、ビデオ情報に含まれる収録時間からビデオ情報の再生時間を減算することにより求めることができる。
【００２８】
なお、本実施形態におけるビデオ再生部１１は、映画、ドラマ、スポーツ等のビデオ情報のビデオ再生を行うことを想定しているが、音楽ビデオ等のビデオ再生を行うことも可能である。
【００２９】
また、ビデオ再生部１１は、ユーザの操作部（図示せず）への操作やナビゲーション装置２からナビインタフェース部１４を介して入力される信号に応じて、再生時の再生速度を変更する機能、字幕表示の有無を切り替える機能等を備えている。なお、ビデオ再生部１１は、１倍速、２倍速、４倍速といった整数倍で倍速再生するだけでなく、例えば、１．２５倍、２．７倍といったように１よりも大きな任意の倍率で高速再生することが可能となっている。
【００３０】
表示部１２は、液晶等の表示画面を有し、この表示画面にビデオ再生部１１から入力されるビデオ映像信号に応じた画像を表示させる。
【００３１】
スピーカ１３は、ビデオ再生部１１から入力される音声信号に応じた音声を出力する。
【００３２】
ナビインタフェース部１４は、ナビゲーション装置２とデータの送受信を行うためのものである。このナビインタフェース部１４は、ケーブル４を介してナビゲーション装置２のビデオインタフェース２５と接続されている。
【００３３】
一方、ナビゲーション装置２は、操作部２０、位置検出器２１、ビデオインタフェース部（図中では、ビデオＩ／Ｆ部と記す）２５、表示部２６、スピーカ２７、現在位置計算部２８および制御部２９を備えている。現在位置計算部２８と制御部２９は、ＣＰＵ、メモリ等を備えたコンピュータによって構成されている。このコンピュータのＣＰＵは、メモリに記憶されたプログラムに従って各種処理を行う。
【００３４】
操作部２０は、表示部２６の表示画面に周囲に設けられた押しボタンスイッチ、表示部２６の表示画面に重ねて設けられたタッチスイッチ等を有し、これらのスイッチへのユーザの操作に応じた信号を出力する。
【００３５】
位置検出器２１は、いずれも周知のＧＰＳ受信機２２、車速センサ２３、ジャイロセンサ２４を有し、これらのセンサ２２〜２４から現在位置を特定するための信号を出力する。
【００３６】
ビデオインタフェース部２５は、ビデオ再生装置１とデータの送受信を行うためのものである。
【００３７】
表示部２６は、液晶等の表示画面を有し、この表示画面に制御部２９から入力される映像信号に応じた画像を表示させる。
【００３８】
スピーカ２７は、制御部２９から入力される音声信号に応じた音声を出力する。
【００３９】
現在位置計算部２８は、位置検出器２１から入力される信号に基づいて周期的に自車の現在位置、自車の向き等を算出し、制御部２９へ出力する。
【００４０】
また、本ナビゲーション装置２は、地図データ等を記憶する記憶媒体（図示せず）を有している。
【００４１】
制御部２９は、操作部２０、ビデオインタフェース部２５、現在位置計算部２８から入力される信号に基づいて各種処理を実施する。制御部２９が実施する処理としては、現在位置計算部２８から入力される信号に基づいて自車位置周辺の地図上に自車位置マークを重ねて表示させる地図表示処理、ユーザの操作部２０への操作に応じて経由地および目的地等を特定する目的地特定処理、目的地特定処理によって特定した経由地、目的地等に基づいて目的地に至る案内経路を設定する経路設定処理、目的地への到着時間を予想する到着予想時間算出処理、経路設定処理によって設定された案内経路に従って経路案内を行う経路案内処理、ユーザの操作に応じて別ルートの探索を行う再探索処理、自車が案内経路から逸脱すると復帰経路を再探索するリルート処理等がある。
【００４２】
なお、本ナビゲーション装置２は、例えば、高速道路では時速８０キロメートル、有料道路では時速６０キロメートル、一般道では時速３０キロメートルといったように、到着予想時間を算出する基準となる平均車速が道路種別毎に予め設定されている。また、ユーザは、設定画面に従ってこの平均車速を変更することができるようになっている。
【００４３】
制御部２９は、この平均車速を用いて目的地に至る案内経路を構成するリンク毎の所要時間を算出し、これらを合計して目的地への到着予想時間を算出する。
【００４４】
次に、図２に示すフローチャートを参照して、ナビゲーション装置２の制御部２９の処理について説明する。イグニッションスイッチがオンしてバッテリから電源が供給されるとビデオ再生装置１およびナビゲーション装置２は、それぞれ動作状態となる。制御部２９は、ユーザの操作に応じてビデオ再生装置１からビデオ再生を開始したことを示す信号が入力されると、図２に示す処理を開始する。
【００４５】
まず、目的地／経由地設定があるか否かを判定する（Ｓ１００）。具体的には、経路設定処理により経由地を経由して目的地に至る案内経路が設定されているか否かを判定する。
【００４６】
案内経路が設定されていない場合、Ｓ１００の判定はＮＯとなり、ビデオ再生速度ＰＳを１倍速に設定する（Ｓ１０８）。
【００４７】
次に、算出した再生速度ＰＳにてビデオ再生することを指示する（Ｓ１１０）。具体的には、設定した再生速度ＰＳ（１倍速）にてビデオ再生することを指示するコマンドをビデオ再生装置１に送信し、本処理を終了する。
【００４８】
なお、ビデオ再生装置１は、このコマンドに応じて１倍速度でビデオ再生を行う。
【００４９】
また、案内経路が設定されると、Ｓ１００の判定はＹＥＳとなり、次に、目的地までの到着予想時間（Ｔａ）を算出する（Ｓ１０２）。
【００５０】
次に、ビデオ再生部１１から再生残り時間（Ｔ１）を取得する（Ｓ１０４）。具体的には、ビデオインタフェース部２５を介してビデオ再生装置１のビデオ再生部１１から再生残り時間（Ｔ１）を取得する。
【００５１】
次に、目的地までの到着予想時間（Ｔａ）よりも再生残り時間（Ｔ１）の方が長いか否かを判定する（Ｓ１０６）。すなわち、目的地に到着する前にビデオ再生が終了するか否かを判定する。
【００５２】
ここで、再生残り時間（Ｔ１）よりも目的地までの到着予想時間（Ｔａ）の方が長い場合、Ｓ１０６の判定はＮＯとなり、Ｓ１０８、Ｓ１１０へ進む。
【００５３】
なお、Ｓ１１０にて再生速度ＰＳ（１倍速）にてビデオ再生することを指示するコマンドがビデオ再生装置１に送信され、ビデオ再生装置１は、このコマンドに応じて１倍速度でビデオ再生を行う。
【００５４】
また、再生残り時間（Ｔ１）よりも目的地までの到着予想時間（Ｔａ）の方が短い場合、すなわち、目的地に到着する前にビデオ再生が終了しない場合、Ｓ１０６の判定はＹＥＳとなり、次に、目的地へ到着するまでにビデオ再生を終了するようにビデオ再生の再生速度を調整する再生速度調整処理を行う（Ｓ２００）。
【００５５】
図３に、再生速度調整処理を示す。この再生速度調整処理では、まず、再生残り時間（Ｔ１）と到着予想時間（Ｔａ）が数式１の関係を満たすか否かを判定する（Ｓ２０２）。
【００５６】
（数１）
Ｔａ＜Ｔ１≦Ｔａ×２
すなわち、再生残り時間（Ｔ１）が目的地までの到着予想時間（Ｔａ）よりも長く、かつ目的地までの到着予想時間（Ｔａ）を２倍した時間以下か否かを判定する。
【００５７】
ここで、再生残り時間（Ｔ１）が数式１を満たす場合、Ｓ２０２の判定はＹＥＳとなり、次に、再生速度算出処理を行う（Ｓ３００）。
【００５８】
本実施形態では、この再生速度算出処理において、到着予想時間（Ｔａ）に合わせてビデオ再生が終了するように、最初から最後まで再生速度が一定となるように再生速度ＰＳを算出する。
【００５９】
図４に、到着予想時間（Ｔａ）に合わせてビデオ再生が終了するようにした場合のビデオ再生の再生速度（ＰＳ）の算出方法について示す。到着予想時間Ｔａにおける再生速度ＰＳをＰＳ＝（１＋ｘ）倍とすると、図中の斜線で示す領域Ａと領域Ｂの各面積は等しくなるため、Ｔ１−Ｔａ＝ｘ×Ｔａの関係が成り立つ。したがって、数式２、数式３が成立する。
【００６０】
（数２）
ｘ＝（Ｔ１−Ｔａ）／Ｔａ
（数３）
ＰＳ＝１＋ｘ＝１＋（Ｔ１−Ｔａ）／Ｔａ
図５に、本実施形態における再生速度算出処理を示す。本実施形態における再生速度算出処理では、まず、数式３を用いて再生速度（ＰＳ）を算出し（Ｓ３０２）、算出した再生速度（ＰＳ）にてビデオ再生するようにビデオ再生を指示する（Ｓ３０４）。具体的には、数式３を用いて算出した再生速度（ＰＳ）にてビデオ再生するコマンドをビデオ再生装置１に送信し、本処理を終了する。
【００６１】
なお、ビデオ再生装置１は、このコマンドを受信すると、指示された再生速度ＰＳにてビデオ再生を行う。
【００６２】
図３の説明に戻り、再生残り時間（Ｔ１）が数式１を満たさない場合、Ｓ２０２の判定はＮＯとなり、次に、再生残り時間（Ｔ１）が数式４を満たすか否かを判定する（Ｓ２０４）。
【００６３】
（数４）
Ｔａ×２＜Ｔ１≦Ｔａ×３
このように、再生残り時間（Ｔ１）が目的地までの到着予想時間（Ｔａ）を３倍した時間よりも長いか否かを判定する。すなわち、再生残り時間（Ｔ１）と目的地までの到着予想時間（Ｔａ）から目的地へ到着するまでにビデオ再生を終了するためのビデオ再生速度が予め定め定められた速度（３倍）よりも速くなるか否かを判定する。
【００６４】
ここで、再生残り時間（Ｔ１）が数式４を満たす場合、Ｓ２０４の判定はＹＥＳとなり、次に、字幕表示の有無を判定する（Ｓ２１２）。具体的には、ビデオインタフェース部２５を介してビデオ再生装置１からビデオ情報に含まれる字幕表示の有無を示す情報を取得して、ビデオ再生の字幕表示の有無を判定する。
【００６５】
ここで、ビデオ再生の字幕表示がある場合、Ｓ２１２の判定はＹＥＳとなり、次に、Ｔａ＝Ｔ１となるようにビデオ再生速度ＰＳを算出する（Ｓ２１８）。具体的には、目的地までの到着予想時間（Ｔａ）に合わせてビデオ再生が終了するように、Ｓ３０２と同様に数式３を用いてビデオ再生速度ＰＳを算出し、Ｓ２１９へ進む。
【００６６】
このＳ２１９において、算出した再生速度ＰＳにてビデオ再生することを指示するコマンドがビデオ再生装置１に送信され、ビデオ再生装置１は、このコマンドに応じて、指示された再生速度ＰＳにて字幕表示ありでビデオ再生を行う。
【００６７】
また、ビデオ情報に字幕がないと判定（Ｓ２１２でＮＯと判定）した場合、次に、字幕なしで倍速（高速）再生するか否かをユーザに問い合わせる（Ｓ２１４）。具体的には、表示部２５に、字幕なしで倍速再生するか否かの選択を促すメッセージを表示させる。
【００６８】
なお、字幕ありの場合には倍速（高速）再生しても音声と字幕の両方によって比較的ビデオの内容を理解することが可能であるが、字幕なしの場合、倍速（高速）再生すると音声を聞き逃し易くなることが考えられるため、字幕なしで倍速再生するか否かをユーザに確認するようにしている。
【００６９】
次に、倍速再生するか否かを判定する（Ｓ２１６）。具体的には、ユーザによって「字幕なしで高速再生する」と「倍速再生しない」のどちらが選択されたかに基づいて倍速再生するか否かを判定する。
【００７０】
ユーザによって「字幕なしで倍速再生する」が選択された場合、Ｓ２１６の判定はＹＥＳとなり、Ｓ２１８、Ｓ２１９へ進む。
【００７１】
このＳ２１９において、算出した再生速度ＰＳにてビデオ再生することを指示するコマンドがビデオ再生装置１に送信され、ビデオ再生装置１は、このコマンドに応じて、指示された再生速度ＰＳにて字幕表示なしでビデオ再生を行う。
【００７２】
また、ユーザによって「倍速再生しない」が選択された場合、Ｓ２１６の判定はＮＯとなり、Ｓ２１０、Ｓ２１１へ進む。
【００７３】
このＳ２１１において、１倍速でビデオ再生することを指示するコマンドがビデオ再生装置１に送信され、ビデオ再生装置１は、このコマンドに応じて、指示された再生速度ＰＳ（１倍速）にて字幕表示なしでビデオ再生を行う。
【００７４】
また、再生残り時間（Ｔ１）が数式４を満たさない場合、Ｓ２０４の判定はＮＯとなり、次に、３倍速以上で高速再生するかユーザに問い合わせる（Ｓ２０６）。具体的には、表示部２５に、３倍速以上で高速再生するか否かを確認するメッセージとともに「はい」または「いいえ」を選択可能に表示させる。
【００７５】
次に、３倍速以上で高速再生するか否かを判定する（Ｓ２０８）。具体的には、ユーザの操作部２０の操作により「はい」と「いいえ」のどちらが選択されたかに基づいて３倍速以上で高速再生するか否かを判定する。
【００７６】
ユーザによって「いいえ」が選択されると、Ｓ２０８の判定はＮＯとなり、次に、Ｓ２１０、Ｓ２１１へ進む。
【００７７】
なお、Ｓ２１１において、１倍速でビデオ再生することを指示するコマンドがビデオ再生装置１に送信され、ビデオ再生装置１は、このコマンドに応じて、指示された再生速度ＰＳ（１倍速）にてビデオ再生を行う。
【００７８】
また、ユーザによって「はい」が選択されると、Ｓ２０８の判定はＹＥＳとなり、次に、Ｓ２１２へ進む。
【００７９】
したがって、上記したようにＳ２１８にて算出された再生速度ＰＳにてビデオ再生することを指示するコマンドがビデオ再生装置１に送信され、ビデオ再生装置１は、Ｓ２１８にて算出された再生速度ＰＳにてビデオ再生を行う。
【００８０】
また、制御部２９は、以下に示すイベントが発生した場合、図２示す処理を中断し、再度、図２示す処理を実行するようにしてもよい。
【００８１】
（１）経路設定処理により目的地までの案内経路が設定された場合
（２）目的地への到着予想時間に変更があった場合
（３）再探索処理を実施した場合
（４）リルート処理が実施された場合
上記した構成によれば、目的地までの到着予想時間よりもビデオ再生残り時間が長いと判定された場合、目的地への到着予想時間が経過するまでにビデオ再生が終了するように再生速度が算出され、この算出された再生速度にてビデオ再生することがビデオ再生装置に指示されるので、特許文献１に示したような従来装置のように到着時間を遅らせることなく目的地に到着するまでにビデオ再生を最後まで楽しむことができる。
【００８２】
また、目的地への到着予想時間が経過するまで一定速度でビデオ再生の再生速度を算出することができる。
【００８３】
また、再生速度が予め定められた再生速度よりも速い場合、ユーザに倍速再生する否かの確認が行われるので、ユーザは倍速再生するか否かを選択することができる。
【００８４】
また、ビデオ再生の字幕表示が無いと判定された場合、ユーザに倍速再生するか否かの確認が行われるので、ユーザは倍速再生するか否かを選択することができる。
【００８５】
（第２実施形態）
上記第１実施形態では、図３のＳ３００の再生速度算出処理において、到着予想時間（Ｔａ）に合わせてビデオ再生が終了するように再生速度を算出する例を示したが、本実施形態では、目的地に到着する一定時間（α）前にビデオ再生が終了するように再生速度を算出する。
【００８６】
図６に、到着予想時間（Ｔａ）の一定時間（α）前にビデオ再生が終了するようにした場合の再生速度の算出方法について示す。図に示すように、到着予想時間Ｔａよりも一定時間α前にビデオ再生が終了するようにした場合、再生速度ＰＳをＰＳ＝（１＋ｘ）倍とすると、（Ｔ１−（Ｔａ−α））×１＝（Ｔａ−α）×ｘの関係が成り立つ。したがって、数式５、数式６が成立する。
【００８７】
（数５）
ｘ＝（Ｔ１−（Ｔａ＋α））／（Ｔａ−α）
（数６）
ＰＳ＝１＋ｘ＝１＋（Ｔ１−Ｔａ＋α）／（Ｔａ−α）
なお、本実施形態において、ユーザが一定時間αを事前に設定すると、設定した値がメモリに記憶されるようになっている。
【００８８】
本実施形態における再生速度算出処理（Ｓ３００）では、図７に示すように、数式６を用いて再生速度（ＰＳ）を算出し（Ｓ３１０）、次に、ビデオ再生装置１に対してビデオ再生を指示する（Ｓ３１２）。具体的には、Ｓ３１０によって設定された再生速度にてビデオ再生するコマンドをビデオ再生装置１に送信し、本処理を終了する。
【００８９】
上記したように、目的地への到着予想時間が経過する一定時間（α）前までにビデオ再生が終了するので、目的地への到着する前に余裕を持ってビデオ再生を終了させることが可能である。
【００９０】
（第３実施形態）
本実施形態では、図３のＳ３００の再生速度算出処理において、ビデオ再生を開始してから一定時間（Ｔｕ）の間に、再生速度（ＰＳ）を１倍から（１＋ｘ）倍となるまで徐々に再生速度を上げていき、一定時間（Ｔｕ）経過後は（１＋ｘ）倍となるように再生速度を算出する。
【００９１】
ビデオ再生中に経路設定がなされ、再生残り時間（Ｔ１）が目的地までの到着予想時間（Ｔａ）よりも短くなる場合、ビデオ再生中に再生速度を速くすることが考えられる。このような状況では、突然再生速度が速くなるとユーザに違和感を与えてしまうため、１倍速から一定速度になるまで一定の割合で徐々に再生速度が速くなるように再生速度を算出する。
【００９２】
図８に、ビデオ再生を開始してから一定時間（Ｔｕ）、再生速度（ＰＳ）が（１＋ｘ）倍となるまで徐々に再生速度を上げていき、一定時間（Ｔｕ）経過後は（１＋ｘ）倍で再生するようにした場合のビデオ再生の再生速度（ＰＳ）の算出方法について示す。図に示すように、ビデオ再生を開始してからの経過時間ｔ≦Ｔｕでは、数式７が成立する。
【００９３】
（数７）
ＰＳ＝１＋ｘ＝１＋ｘ／Ｔｕ×ｔ
また、図８に示すように、Ｔ１−Ｔａ＝（Ｔａ−Ｔｕ）×ｘ＋Ｔｕ×ｘ／２の関係が成り立つため、数式８が成立する。
【００９４】
（数８）
ｘ＝（Ｔ１−Ｔａ）／（Ｔａ−Ｔｕ／２）
数式８より、経過時間ｔ＞Ｔｕでは、再生速度ＰＳは数式９によって表される。
【００９５】
（数９）
ＰＳ＝１＋ｘ＝１＋（Ｔ１−Ｔａ）／（Ｔａ−Ｔｕ／２）
図９に、本実施形態における再生速度算出処理（Ｓ３００）のフローチャートを示す。以下、この再生速度算出処理について説明する。なお、本実施形態では、ユーザが徐々に再生速度を上げる時間（Ｔｕ）を事前に設定すると、設定した値がメモリに記憶されるようになっている。
【００９６】
まず、徐々に再生速度を上げる時間（Ｔｕ）を取得する（Ｓ３２０）。具体的には、メモリから徐々に再生速度を上げる時間（Ｔｕ）を読み出す。
【００９７】
次に、再生速度（ＰＳ）を１倍速に設定する（Ｓ３２２）。
【００９８】
次に、数式８を用いてｘの値を算出する（Ｓ３２４）。
【００９９】
次に、経過時間ｔが徐々に再生速度を上げる時間（Ｔｕ）以下か否かを判定する（Ｓ３２６）。
【０１００】
ここで、経過時間ｔが、徐々に再生速度を上げる時間（Ｔｕ）以下の場合、Ｓ３２６の判定はＹＥＳとなり、次に、数式７を用いて再生速度（ＰＳ）を算出する（Ｓ３２８）。
【０１０１】
次に、ビデオ再生装置１に対してビデオ再生を指示する（Ｓ３３０）。具体的には、Ｓ３２８にて算出された再生速度にてビデオ再生するコマンドをビデオ再生装置１に送信し、Ｓ３２６へ戻る。
【０１０２】
また、経過時間ｔが、徐々に再生速度を上げる時間（Ｔｕ）と等しくなると、Ｓ３２６の判定はＮＯとなり、次に、数式９を用いて再生速度（ＰＳ）を算出し（Ｓ３３２）、次に、ビデオ再生装置１に対してビデオ再生を指示する（Ｓ３３４）。具体的には、Ｓ３３２にて算出された再生速度にてビデオ再生するコマンドをビデオ再生装置１に送信し、本処理を終了する。
【０１０３】
上記したように、１倍速から徐々に速くなるように再生速度が算出されるので、ビデオ再生速度が突然速くなりユーザに違和感を与えるようなことをなくすことができる。
【０１０４】
（第４実施形態）
本実施形態では、ビデオのエンディング部分をゆっくり鑑賞できるように、Ｓ３００の再生速度算出処理において、ビデオ再生の後半までは一定速度で高速再生し、後半から一定時間（Ｔｄ）かけて徐々に再生速度を下げた後、一定時間（Ｔｅ）１倍速で再生するように再生速度を算出する。
【０１０５】
図１０に、本実施形態のビデオ再生の再生速度（ＰＳ）の算出方法について示す。図に示すように、ビデオ再生の後半（Ｔａ−Ｔｄ−Ｔｅ）までの再生速度ＰＳをＰＳ＝（１＋ｘ）倍とすると、Ｔ１−Ｔａ＝（Ｔａ−Ｔｄ−Ｔｅ）×ｘ＋Ｔｄ×ｘ／２の関係が成り立つ。したがって、数式１０が成り立つ。
【０１０６】
（数１０）
ｘ＝（Ｔ１−Ｔａ）／（Ｔａ−Ｔｄ／２−Ｔｅ）
したがって、経過時間ｔ≦Ｔａ−Ｔｄ−Ｔｅでは、再生速度（ＰＳ）は、数式１１によって表される。
【０１０７】
（数１１）
ＰＳ＝１＋ｘ＝１＋（Ｔ１−Ｔａ）／（Ｔａ−Ｔｄ／２−Ｔｅ）
また、Ｔａ−Ｔｄ−Ｔｅ＜ｔ≦Ｔａ−Ｔｅでは、再生速度（ＰＳ）は、数式１２によって表される。
【０１０８】
（数１２）
ＰＳ＝１＋ｘ−ｘ／Ｔｄ×（ｔ−（Ｔａ−Ｔｄ−Ｔｅ）
また、Ｔａ−Ｔｅ＜ｔでは、再生速度（ＰＳ）は、数式１３によって表される。
【０１０９】
（数１３）
ＰＳ＝１
図１１に、本実施形態における再生速度算出処理（Ｓ３００）のフローチャートを示す。以下、この再生速度算出処理について説明する。なお、本実施形態では、ユーザが徐々に再生速度を下げる時間（Ｔｄ）と１倍速再生する時間（Ｔｅ）を事前に設定すると、設定した値がメモリに記憶されるようになっている。
【０１１０】
まず、徐々に再生速度を下げる時間（Ｔｄ）と１倍速再生する時間（Ｔｅ）を取得する（Ｓ３４０）。具体的には、メモリから徐々に再生速度を下げる時間（Ｔｄ）と１倍速再生する時間（Ｔｅ）を読み出す。
【０１１１】
次に、数式１０を用いてｘの値を算出する（Ｓ３４２）。
【０１１２】
次に、経過時間ｔが時間（Ｔａ−Ｔｄ−Ｔｅ）以下か否かを判定する（Ｓ３４４）。
【０１１３】
ここで、経過時間ｔが時間（Ｔａ−Ｔｄ−Ｔｅ）以下の場合、次に、数式１１を用いて再生速度（ＰＳ）を算出する（Ｓ３４６）。
【０１１４】
次に、ビデオ再生装置１に対してビデオ再生を指示する（Ｓ３４８）。具体的には、Ｓ３４６にて算出された再生速度にてビデオ再生するコマンドをビデオ再生装置１に送信し、Ｓ３４４へ戻る。
【０１１５】
また、経過時間ｔが時間（Ｔａ−Ｔｄ−Ｔｅ）と等しくなると、Ｓ３４４の判定はＮＯとなり、次に、経過時間ｔが時間（Ｔａ−Ｔｅ）以下か否かを判定する（Ｓ３５０）。
【０１１６】
ここで、経過時間ｔが時間（Ｔａ−Ｔｅ）以下の場合、Ｓ３５０の判定はＹＥＳとなり、次に、数式１２を用いて再生速度を算出する（Ｓ３５２）。
【０１１７】
次に、ビデオ再生装置１に対してビデオ再生を指示する（Ｓ３５４）。具体的には、Ｓ３５２にて算出された再生速度にてビデオ再生するコマンドをビデオ再生装置１に送信し、Ｓ３４４へ戻る。
【０１１８】
また、経過時間ｔが時間（Ｔａ−Ｔｅ）と等しくなると、Ｓ３５０の判定はＮＯとなり、次に、数式１３に示したように再生速度を１倍速に設定する（Ｓ３５６）。
【０１１９】
次に、ビデオ再生装置１に対してビデオ再生を指示する（Ｓ３５８）。具体的には、Ｓ３５６にて算出された再生速度（１倍速）にてビデオ再生するコマンドをビデオ再生装置１に送信し、本処理を終了する。
【０１２０】
上記したように、途中から１倍速になるまで徐々に再生速度が遅くなるので、ビデオ再生速度が突然遅くなりユーザに違和感を与えるようなことをなくすことができる。また、その後、ビデオ再生が終了するまで１倍速でビデオ再生するように再生速度が算出されるので、ユーザはビデオのエンディング部分を１倍速でゆっくり鑑賞することができる。
【０１２１】
（第５実施形態）
本実施形態では、Ｓ３００の再生速度算出処理において、１倍速から一定速度になるまで一定の割合で徐々に再生速度を速くした後、ビデオ再生の中間部分は一定速度でビデオ再生し、ビデオ再生の後半からは１倍速になるまで一定の割合で徐々に速度を下げるように再生速度を算出する。
【０１２２】
図１２に、１倍速から一定の割合で徐々に再生速度を速くした後、一定速度でビデオ再生し、ビデオ再生の後半から一定の割合で徐々に速度を下げて再生する場合のビデオ再生の再生速度（ＰＳ）の算出方法について示す。
【０１２３】
１倍速から一定の割合で徐々に再生速度を速くした後の再生速度ＰＳをＰＳ＝（１＋ｘ）倍とすると、Ｔ１−Ｔａ＝（Ｔａ−Ｔｕ−Ｔｄ−Ｔｅ）×ｘ＋Ｔｄ×ｘ／２＋Ｔｄ×ｘ／２の関係が成り立つ。したがって、数式１４が成り立つ。
【０１２４】
（数１４）
ｘ＝（Ｔ１−Ｔａ）／（Ｔａ−Ｔｕ／２−Ｔｄ／２−Ｔｅ）
したがって、経過時間ｔ≦Ｔｕでは、再生速度（ＰＳ）は、数式１５によって表される。
【０１２５】
（数１５）
ＰＳ＝１＋ｘ／Ｔｕ×ｔ
また、Ｔｕ＜ｔ≦Ｔａ−Ｔｄ−Ｔｅでは、再生速度（ＰＳ）は、数式１６によって表される。
【０１２６】
（数１６）
ＰＳ＝１＋ｘ＝１＋（Ｔ１−Ｔａ）／（Ｔａ−Ｔｕ／２−Ｔｄ／２−Ｔｅ）
また、Ｔａ−Ｔｄ−Ｔｅ＜ｔ≦Ｔａ−Ｔｅでは、再生速度（ＰＳ）は、数式１７によって表される。
【０１２７】
（数１７）
ＰＳ＝１＋ｘ−ｘ／Ｔｄ×（ｔ−（Ｔａ−Ｔｄ−Ｔｅ））
また、Ｔａ−Ｔｅ＜ｔでは、再生速度（ＰＳ）は、数式１８によって表される。
【０１２８】
（数１８）
ＰＳ＝１
図１３に、本実施形態における再生速度算出処理（Ｓ３００）のフローチャートを示す。以下、この再生速度算出処理について説明する。なお、本実施形態では、ユーザが徐々に再生速度を下げる時間（Ｔｕ）、ユーザが徐々に再生速度を下げる時間（Ｔｄ）および１倍速再生する時間（Ｔｅ）を事前に設定すると、設定した値がメモリに記憶されるようになっている。
【０１２９】
まず、徐々に再生速度を下げる時間（Ｔｕ）、ユーザが徐々に再生速度を下げる時間（Ｔｄ）、１倍速再生する時間（Ｔｅ）および１倍速再生する時間（Ｔｅ）を取得する（Ｓ３６０）。具体的には、メモリから徐々に再生速度を下げる時間（Ｔｕ）、ユーザが徐々に再生速度を下げる時間（Ｔｄ）、１倍速再生する時間（Ｔｅ）および１倍速再生する時間（Ｔｅ）を読み出す。
【０１３０】
次に、数式１４を用いてｘの値を算出する（Ｓ３６２）。
【０１３１】
次に、経過時間ｔが時間Ｔｕ以下か否かを判定する（Ｓ３６４）。
【０１３２】
ここで、経過時間ｔが時間Ｔｕ以下の場合、Ｓ３６４の判定はＹＥＳとなり、次に、数式１５を用いて再生速度（ＰＳ）を算出する（Ｓ３６６）。
【０１３３】
次に、ビデオ再生装置１に対してビデオ再生を指示する（Ｓ３６８）。具体的には、Ｓ３６６にて算出された再生速度にてビデオ再生するコマンドをビデオ再生装置１に送信し、Ｓ３６４へ戻る。
【０１３４】
また、経過時間ｔが時間Ｔｕになると、Ｓ３６４の判定はＮＯとなり、次に、経過時間ｔが時間Ｔｕよりも大きく、かつ、経過時間ｔが時間（Ｔａ−Ｔｄ−Ｔｅ）以下か否かを判定する（Ｓ３７０）。
【０１３５】
ここで、経過時間ｔが時間Ｔｕよりも長く、かつ、経過時間ｔが時間（Ｔａ−Ｔｄ−Ｔｅ）以下の場合、Ｓ３７０の判定はＹＥＳとなり、次に、数式１６を用いて再生速度（ＰＳ）を算出する（Ｓ３７２）。
【０１３６】
次に、ビデオ再生装置１に対してビデオ再生を指示する（Ｓ３７４）。具体的には、Ｓ３７２にて算出された再生速度にてビデオ再生するコマンドをビデオ再生装置１に送信し、Ｓ３６４へ戻る。
【０１３７】
また、経過時間ｔが時間（Ｔａ−Ｔｄ−Ｔｅ）よりも長くなると、Ｓ３７０の判定はＮＯとなり、次に、経過時間ｔが時間（Ｔａ−Ｔｅ）以下か否かを判定する（Ｓ３７６）。
【０１３８】
ここで、経過時間ｔが時間（Ｔａ−Ｔｅ）以下の場合、Ｓ３７６の判定はＹＥＳとなり、次に、数式１７を用いて再生速度（ＰＳ）を算出する（Ｓ３７８）。
【０１３９】
次に、ビデオ再生装置１に対してビデオ再生を指示する（Ｓ３８０）。具体的には、Ｓ３７８にて算出された再生速度にてビデオ再生するコマンドをビデオ再生装置１に送信し、Ｓ３６４へ戻る。
【０１４０】
また、経過時間ｔが時間（Ｔａ−Ｔｅ）になると、Ｓ３７６の判定はＮＯとなり、次に、数式１３に示したように再生速度を１倍速に設定する（Ｓ３８２）。
【０１４１】
次に、ビデオ再生装置１に対してビデオ再生を指示する（Ｓ３８４）。具体的には、Ｓ３８２にて算出された再生速度にてビデオ再生するコマンドをビデオ再生装置１に送信し、本処理を終了する。
【０１４２】
上記したように、１倍速から徐々に速くなるように再生速度が算出されるので、ビデオ再生速度が突然速くなりユーザに違和感を与えるようなことをなくすことができる。また、途中から１倍速になるまで徐々に再生速度が遅くなるので、ビデオ再生速度が突然遅くなりユーザに違和感を与えるようなことをなくすことができる。また、その後、ビデオ再生が終了するまで１倍速でビデオ再生するように再生速度が算出されるので、ユーザはビデオのエンディング部分を１倍速でゆっくり鑑賞することができる。
【０１４３】
（その他の実施形態）
例えば、上記実施形態では、ナビゲーション装置を用いて車両用ビデオ再生速度制御装置を構成した例を示したが、ナビゲーション装置を用いることなく車両用ビデオ再生速度制御装置を構成してもよい。この場合、例えば、ビデオ再生装置がナビゲーション装置から目的地までの到着予想時間を取得して、目的地までの到着予想時間を特定するようにしてもよい。
【０１４４】
また、上記実施形態では、図３のＳ２１８、Ｓ２１９において、数式３を用いて最初から最後まで再生速度が一定となるように再生速度ＰＳを算出し、算出した再生速度ＰＳにてビデオ再生することを指示するコマンドをビデオ再生装置１に送信する例を示したが、例えば、図５、図７、図９、図１１、図１３に示した再生速度算出処理と同様に、途中で再生速度が変化するように再生速度を算出し、算出した再生速度ＰＳにてビデオ再生することを指示するコマンドがビデオ再生装置１に送信するようにしてもよい。
【０１４５】
また、上記実施形態では、Ｓ２０４の判定において、再生残り時間（Ｔ１）と目的地までの到着予想時間（Ｔａ）から目的地へ到着するまでにビデオ再生を終了するためのビデオ再生速度が予め定め定められた速度（３倍）よりも速くなるか否かを判定する例を示したが、このような速度（３倍）に限定されるものではない。
【０１４６】
また、上記実施形態では、到着予想時間が経過するまでにビデオ再生が終了するように再生速度を算出し、算出した再生速度にてビデオ再生するように指示するコマンドをビデオ再生装置に送出する例を示したが、ビデオ再生装置の再生速度を指示するコマンドであれば上記したコマンドに限定されるものではない。
【０１４７】
また、上記実施形態では、Ｓ２１８においてＴａ＝Ｔ１となるようにビデオ再生速度が算出された場合、Ｓ２１１において算出された再生速度にてビデオ再生するようにビデオ再生装置１に対してビデオ再生を指示する例を示したが、更に、ビデオ再生装置１に対して、音声出力の停止を指示するようにしてもよい。倍速再生（高速再生）する場合、音声を出力してもユーザはその音声を聞き取れないことが考えられるため、このように音声出力の停止を指示するようにしてもよい。
【０１４８】
なお、上記実施形態における構成と特許請求の範囲の構成との対応関係について説明すると、図２のＳ１０２が到着予想時間特定手段に相当し、Ｓ１０４が再生残り時間取得手段に相当し、Ｓ１０６が判定手段に相当し、図３のＳ２１８、図５のＳ３０２、図７のＳ３１０、図９のＳ３３０とＳ３３４を除いた各ステップ（Ｓ３２０〜Ｓ３２８、Ｓ３３２）、図１１のＳ３４８、Ｓ３５４、Ｓ３５８を除いた各ステップ（Ｓ３４０〜Ｓ３４６、Ｓ３５０、Ｓ３５２、Ｓ３５６）、図１３のＳ３６８、Ｓ３７４、Ｓ３８０、Ｓ３８４を除いた各ステップ（Ｓ３６０〜Ｓ３６６、Ｓ３７０、Ｓ３７２、Ｓ３７６、Ｓ３７８、Ｓ３８２）が再生速度算出手段に相当し、図３のＳ２１１、Ｓ２１９、図５のＳ３０４、図７のＳ３１２、図９のＳ３３０とＳ３３４、図１１のＳ３４８、Ｓ３５４およびＳ３５８、図１３のＳ３６８、Ｓ３７４、Ｓ３８０およびＳ３８４がビデオ再生指示手段に相当し、図３のＳ２０４が再生速度判定手段に相当し、図３のＳ２０６とＳ２０８が第１の確認手段に相当し、図３のＳ２１２が字幕判定手段に相当し、図３のＳ２１４とＳ２１６が第２の確認手段に相当する。
【図面の簡単な説明】
【０１４９】
【図１】本発明の一実施形態に係るナビゲーション装置とビデオ再生装置の構成を示す図である。
【図２】ナビゲーション装置の制御部の処理を示すフローチャートである。
【図３】再生速度調整処理を示すフローチャートである。
【図４】ビデオ再生の再生速度（ＰＳ）の算出方法について説明するための図である。
【図５】第１実施形態に係る再生速度算出処理を示すフローチャートである。
【図６】第２実施形態に係るビデオ再生の再生速度（ＰＳ）の算出方法について説明するための図である。
【図７】第２実施形態に係る再生速度算出処理を示すフローチャートである。
【図８】第３実施形態に係るビデオ再生の再生速度（ＰＳ）の算出方法について説明するための図である。
【図９】第３実施形態に係る再生速度算出処理を示すフローチャートである。
【図１０】第４実施形態に係るビデオ再生の再生速度（ＰＳ）の算出方法について説明するための図である。
【図１１】第４実施形態に係る再生速度算出処理を示すフローチャートである。
【図１２】第５実施形態に係るビデオ再生の再生速度（ＰＳ）の算出方法について説明するための図である。
【図１３】第５実施形態に係る再生速度算出処理を示すフローチャートである。
【符号の説明】
【０１５０】
１…ビデオ再生装置、２…ナビゲーション装置、３…ＤＶＤ、４…ケーブル、
１０…ビデオ情報入力部、１１…ビデオ再生部１１…表示部、１２…スピーカ、
１３…ナビインタフェース部、２０…操作部、２１…位置検出器、
２２…ＧＰＳ受信機、２３…車速センサ、２４…ジャイロセンサ、
２５…ビデオインタフェース部、２６…表示部、２７…スピーカ、
２８…現在位置計算部、２９…制御部。 
【図１】
2007256077.tif 000003
【図２】
2007256077.tif 000004
【図３】
2007256077.tif 000005
【図４】
2007256077.tif 000006
【図５】
2007256077.tif 000007
【図６】
2007256077.tif 000008
【図７】
2007256077.tif 000009
【図８】
2007256077.tif 000010
【図９】
2007256077.tif 000011
【図１０】
2007256077.tif 000012
【図１１】
2007256077.tif 000013
【図１２】
2007256077.tif 000014
【図１３】
2007256077.tif 000015